(57)【要約】【課題】第一の人体検知手段、第二の人体検知手段および着座検知手段を一箇所にまとめて省スペース化すると共に部品点数を低減し、製作コストをも低減することを目的とする。【解決手段】便ふたが閉じられた状態において便座装置の前方上方の人体を検知する第一の人体検知手段４と、人体が便座に着座していることを検知する着座検知手段５と、便座が開かれた状態において便座装置の前方上方の人体を検知する第二の人体検知手段６とを一体化したセンサ組品８をケーシングに内蔵した。三つの検知手段を一体として、三つの検知手段を一つの検知窓に取り付けることが出来るので、各検知手段毎につき検知窓を必要とせず、省スペース化を図ることが出来る。また、検知手段と検知窓との位置関係のバラツキに影響を受け易い検知性能のバラツキを抑えることが出来、さらに部品点数も少なくて済むので製作のコストを低減することが出来る。【選択図】　図５
2004089631.tif 000002
【特許請求の範囲】
【請求項１】
便ふた、便座、及び該便ふたと該便座の開閉を支持するケーシングを備えた便座装置において、前記便ふたが閉じられた状態において便座装置の前方上方の人体を検知する第一の人体検知手段と、人体が該便座に着座していることを検知する着座検知手段と、前記便座が開かれた状態において便座装置の前方上方の人体を検知する第二の人体検知手段とを一体化した検知手段構造体を備えたことを特徴とする便座装置。
【請求項２】
便座、及び該便座の開閉を支持するケーシングを備えた便座装置において、前記便座が閉じられた状態において便座装置の前方上方の人体を検知する第一の人体検知手段と、人体が該便座に着座していることを検知する着座検知手段と、該便座が開かれた状態において便座装置の前方上方の人体を検知する第二の人体検知手段とを一体化した検知手段構造体を備えたことを特徴とする便座装置。
【請求項３】
請求項１又は２に記載の便座装置において、前記検知手段構造体は、前記第一の人体検知手段を上段に、第二の人体検知手段を下段に、着座検知手段を中段に配置したことを特徴とする便座装置。
【請求項４】
請求項１乃至３のいずれか１項に記載の便座装置において、前記検知手段構造体は、前記第一の人体検知手段、第二の人体検知手段、着座検知手段を取り付け部材に組み込むことで一体化された組品であることを特徴とする便座装置。
【請求項５】
請求項４記載の便座装置において、前記取り付け部材は、各検知手段からの投光が透過する検知窓と一体であることを特徴とする便座装置。
【請求項６】
請求項４又は５記載の便座装置において、前記検知手段構造体を、該便座装置本体のケーシング前面に配置したことを特徴とする便座装置。
【請求項７】
請求項３又は６記載の便座装置において、前記第一の人体検知手段を前記便ふたと同じ高さ乃至下方に配置したことを特徴とする便座装置。
【請求項８】
請求項３乃至７のいずれか１項に記載の便座装置において、前記第一の人体検知手段を前記便ふた乃至前記便座の回動中心よりも後方に配置したことを特徴とする便座装置。
【請求項９】
請求項３乃至８のいずれか１項に記載の便座装置において、前記第一の人体検知手段および前記第二の人体検知手段を反射型の光電測距センサにより構成したことを特徴とする便座装置。
【請求項１０】
請求項３乃至９のいずれか１項に記載の便座装置において、前記第一の人体検知手段と前記第二の人体検知手段が同一構造であることを特徴とする便座装置。
【請求項１１】
請求項３乃至１０のいずれか１項に記載の便座装置において、前記着座検知手段を反射型の光電測距センサにより構成したことを特徴とする便座装置。
【請求項１２】
請求項１１記載の便座装置において、前記検知窓の表面を前記ケーシングの表面よりも前記便座装置本体内部に凹ませた凹形状とすることを特徴とする便座装置。
【請求項１３】
請求項１１記載の便座装置において、少なくとも前記検知窓における前記着座検知手段の前方を前記ケーシング前面よりも前記便座装置本体内部に前記着座検知手段の検知出来る最近接距離以上凹ませた凹形状とすることを特徴とする便座装置。
【請求項１４】
請求項１３記載の便座装置において、前記凹形状は、前記便ふたが閉位置にある状態における便ふた後端縁よりも下に配置したことを特徴とする便座装置。
【請求項１５】
請求項１１乃至１４のいずれか１項に記載の便座装置において、前記検知手段構造体には、投光レンズと前記検知窓までの投光空間と、受光レンズと該検知窓までの受光空間を隔てる遮光板を設け、前記検知窓は可視光遮断材であり前記遮光板は遮光材を用いた二色成形であるとし、前記遮光板は前記検知窓の内部にまで貫通させたことを特徴とする便座装置。
【請求項１６】
請求項１１乃至１５のいずれか１項に記載の便座装置において、前記第一の人体検知手段乃至前記着座検知手段乃至前記第二の人体検知手段の検知領域の一部に干渉するように前記検知窓の一部に遮光材を配置したことを特徴とする便座装置。
【請求項１７】
請求項３乃至１６のいずれか１項に記載の便座装置において、前記検知手段構造体であって前記第一の人体検知手段の上部にかさを設け、前記かさで前記第一の人体検知手段および前記着座検知手段および前記第二の人体検知手段を覆い、且つ前記かさの最下位置を前記第一の人体検知手段および前記着座検知手段および前記第二の人体検知手段よりも突出させたことを特徴とする便座装置。
【請求項１８】
請求項３乃至１７のいずれか１項に記載の便座装置において、前記第一の人体検知手段と前記着座検知手段と前記第二の人体検知手段を前記取り付け部材にスナップフィットで取り付けることを特徴とする便座装置。
【請求項１９】
請求項１８記載の便座装置において、前記第一の人体検知手段と前記着座検知手段と前記第二の人体検知手段を前記取り付け部材にスナップフィットで取り付ける際の嵌合部となるスナップフィット爪部を、前記第一の人体検知手段と前記着座検知手段と前記第二の人体検知手段それぞれの側面に最低二ヶ所設け、且つ前記スナップフィット爪部の形状を異ならせたことを特徴とする便座装置。
【請求項２０】
請求項１９記載の便座装置において、前記第一の人体検知手段と前記着座検知手段と前記第二の人体検知手段を、水平角を同一にし、仰角を任意の角度に配置したことを特徴とする便座装置。
【発明の詳細な説明】
【０００１】
【発明の属する技術分野】
本発明は、便器前の人体を検知する人体検知手段と、人体の着座を検知する着座検知手段と、人体検知手段および着座検知手段の信号に基づいてトイレ環境（便座・便ふた姿勢、室内照明、脱臭起動、便座温度等）を制御する便座装置に関するものである。
【０００２】
【従来の技術】
従来、便座装置として、人体検知センサを備え、便ふた、便座の開閉を自動で行うものが知られている。この装置は、例えば特許文献１に記載されている例では、図１６のように便ふた２及び便座３が閉状態にあるときに前方に開放される部位に第一の人体検知センサ４を設け、図１６（ａ）のように人体を検知して便ふた２を自動的に開くようにしていた。また、便ふた２、または便ふた２及び便座３が開状態にある時に前方に開放される部位に第二の人体検知センサ６を設け、図１６（ｃ）のように人体の有無を確認して便ふた２、または便ふた２および便座３を自動的に閉まるようにしていた。さらに、便ふた２が開状態であり便座３が閉状態において、人体が便座３に座っているかどうかを検知する着座検知手段５を設け、図１６（ｂ）のように着座を検知して人体の行動を追跡し、的確な制御を行っていた。
これにより、トイレを使用する意思のある人物に対して、人体検知手段の信号に連動して自動で便ふたおよび便座の開閉を行うことが出来る。その為、例えば工事現場等で手を汚した人物がトイレを使用する、あるいは便ふたに小水の飛び散り等の汚れが付着している等の際にも、手を汚すことなく用を足すことが出来て衛生的である。また、身体の不自由な人物に対しても、便ふたを開閉するという動作を自動で行うことにより、腰など身体への負担をなくすことが出来る。
【０００３】
【特許文献１】
特許第３２０１７１５号公報
【０００４】
【発明が解決しようとする課題】
しかし上記した従来の便座装置では、第一の人体検知手段、第二の人体検知手段および着座検知手段が便座装置の各位置にばらばらに取り付けられており、検知手段の取り付け部材や検知手段から投光される光を透過させる検知窓等、検知手段に備わるべき部材も第一の人体検知手段、第二の人体検知手段および着座検知手段に対して個々に配置しなければならず、その為、収納スペースが広がり、部品点数も増大し、製作コストも高くなるという問題があった。
【０００５】
そこで本発明では、便座装置において上記課題を解決すること、つまり、第一の人体検知手段、第二の人体検知手段および着座検知手段を一箇所にまとめて省スペース化すると共に部品点数を低減し、製作コストをも低減することを目的とする。
【０００６】
【課題を解決するための手段および作用、効果】
請求項１記載の発明における便座装置は、便ふた、便座、及び該便ふたと該便座の開閉を支持するケーシングを備えた便座装置において、前記便ふたが閉じられた状態において便座装置の前方上方の人体を検知する第一の人体検知手段と、人体が該便座に着座していることを検知する着座検知手段と、前記便座が開かれた状態において便座装置の前方上方の人体を検知する第二の人体検知手段とを一体化した検知手段構造体を備えたことを特徴とする。
これにより、第一の人体検知手段、第二の人体検知手段および着座検知手段の三つを一体として、三つの検知手段を一つの検知窓に一体として取り付けることが出来るので、各検知手段毎につき検知窓を必要とせず、省スペース化を図ることが出来る。また、検知手段と検知窓との位置関係のバラツキに影響を受け易い検知性能のバラツキを抑えることが出来る。また、部品点数も少なくて済むので、製作のコストを低減することが出来る。
なお、一体化するには、本実施の形態にて詳説する単体の検知手段を検知窓のごとき別部品に組み込むセンサ組品のような構造の他、一つの検知手段に他の検知手段を連結して一体化する構造、樹脂一体成形品に各検知手段の投受光機構部を組み込んで一体物とする構造など、種々の構造で達成することが出来る。
【０００７】
請求項２記載の発明における便座装置は、便座、及び該便座の開閉を支持するケーシングを備えた便座装置において、前記便座が閉じられた状態において便座装置の前方上方の人体を検知する第一の人体検知手段と、人体が該便座に着座していることを検知する着座検知手段と、該便座が開かれた状態において便座装置の前方上方の人体を検知する第二の人体検知手段とを一体化した検知手段構造体を備えたことを特徴とする。
これにより、福祉設備の取り付けなどのために便ふたを有しない便座装置であっても、請求項１と同等の効果を得ることが出来る。
【０００８】
請求項３記載の発明における便座装置は、請求項１，２の検知手段構造体を、前記第一の人体検知手段を上段に、第二の人体検知手段を下段に、着座検知手段を中段に配置したことを特徴とする。
これにより、便ふたおよび便座が閉状態の時には上段に配置した第一の人体検知手段が便ふたの上部を通して便座装置の前方上方の人体を検知し、便ふたが開状態で便座が閉状態の時には中段に配置した着座検知手段が便ふたと便座の間を通して着座の状態を検知し、便ふたおよび便座が開状態の時には下段に配置した第二の人体検知手段が便座の下部を通して便座装置の前方上方の人体を検知することが出来る。また、簡単な構造で複数の検知手段の一体化を具現化することが出来る。
【０００９】
請求項４記載の発明における便座装置は、前記検知手段構造体は、前記第一の人体検知手段、第二の人体検知手段、着座検知手段を取り付け部材に組み込むことで一体化された組品であることを特徴とする。
これによれば、一つの取り付け部材に複数の検知手段を取り付けるので、各検知手段の検知性能にバラツキが出るのを抑えることが出来る。
【００１０】
請求項５記載の発明における便座装置は、前記取り付け部材は、各検知手段からの投光が透過する検知窓と一体であることを特徴とする。
これにより、検知手段と検知窓とを一体として、検知手段構造体を簡易な構造とすることが出来る。
【００１１】
請求項６記載の発明における便座装置は、前記検知手段構造体を、該便座装置本体のケーシング前面に配置したことを特徴とする。
これにより、スッキリ且つコンパクトで美しい袖なしのデザインあるいはローシルエットデザインをした便座装置に対しても請求項１の効果を適用出来る。
【００１２】
請求項７記載の発明における便座装置は、前記第一の人体検知手段を前記便ふたと同じ高さ乃至下方に配置したことを特徴とする。
これにより、スッキリ且つコンパクトで美しいローシルエットデザインをした便座装置に対して請求項１の効果を適用出来る。
【００１３】
請求項８記載の発明における便座装置は、前記第一の人体検知手段を前記便ふた乃至前記便座の回動中心よりも後方に配置したことを特徴とする。
これにより、便ふたおよび便座よりも下方に配置した人体検知手段が、便ふたおよび便座の外観を損なうことなく、閉じられた状態にある便ふたおよび便座に遮られることなく、便座装置の前方上方に赤外線を放つことが出来、便器先端付近の人体を検知することが出来る。
【００１４】
請求項９記載の発明における便座装置は、前記第一の人体検知手段および前記第二の人体検知手段を反射型の光電測距センサにより構成したことを特徴とする。
これにより、便座装置に対して使用者がどの程度近づいているのかを認識することが出来、よって使用者のトイレ使用の意思を判断することが出来る。
【００１５】
請求項１０記載の発明における便座装置は、前記第一の人体検知手段と前記第二の人体検知手段が同一構造であることを特徴とする。
これにより、同金型、同生産ラインにて製作した人体検知手段を第一および第二の人体検知手段に適用出来る為、金型や生産ラインも一つで済み、コストを低減出来る。
【００１６】
請求項１１記載の発明における便座装置は、前記着座検知手段を反射型の光電測距センサにより構成したことを特徴とする。
これにより、着座の意思を的確に判断することが出来る。
【００１７】
請求項１２記載の発明における便座装置は、前記検知窓の表面を前記ケーシングの表面よりも前記便座装置本体内部に凹ませた凹形状とすることを特徴とする。
これにより、例えば便ふたや便座の後端が、検知窓を含めたケーシング表面と、ある一定のクリアランスを設けて設計しても、便ふたや便座の自重などにより経年変化してクリアランスが無くなってしまい、便ふたや便座の開閉時に便ふたや便座の後端とケーシングの表面が接触してしまう場合でも、検知窓はケーシング表面よりも便座装置本体内部に凹んでいる為、検知窓が便ふたや便座の後端に接触し、傷が付くことを防ぐことが出来るので、人体検知手段あるいは着座検知手段の性能を損なうことなく確実に人体あるいは着座を検知することが出来る。
【００１８】
請求項１３記載の発明における便座装置は、少なくとも前記検知窓における前記着座検知手段の前方を前記ケーシング前面よりも前記便座装置本体内部に前記着座検知手段の検知出来る最近接距離以上凹ませた凹形状とすることを特徴とする。
検知窓に衣類が被った場合等、近点検知性能によっては衣類を検知しない場合があるが、これにより、ケーシング前面に衣類が被った場合でも、検知窓とケーシング前面を凹形状によって着座検知手段の検知出来る最近接距離以上隔てている為、検知窓に衣類が被ることはほとんどなく、確実に人体の着座を検知することが出来る。
【００１９】
請求項１４記載の発明における便座装置は、前記凹形状は、前記便ふたが閉位置にある状態における便ふた後端縁よりも下に配置したことを特徴とする。
これにより、便ふたおよび便座が閉状態にて人がトイレに入室する際に、凹形状が便ふたの下に隠れている為、デザイン性を損なうことなく確実に人体の着座を検知することが出来る。
【００２０】
請求項１５記載の発明における便座装置は、前記検知手段構造体には、投光レンズと前記検知窓までの投光空間と、受光レンズと該検知窓までの受光空間を隔てる遮光板を設け、前記検知窓は可視光遮断材であり前記遮光板は遮光材を用いた二色成形であるとし、前記遮光板は前記検知窓の内部にまで貫通させたことを特徴とする。
これにより、投光された赤外線が、投光空間から受光空間に漏れず、また、センサ窓に付着した水滴やごみによって乱反射して受光空間に到達することも無くなるので、誤検知を防ぐことが出来る。
【００２１】
請求項１６記載の発明における便座装置は、前記第一の人体検知手段乃至前記着座検知手段乃至前記第二の人体検知手段の検知領域の一部に干渉するように前記検知窓の一部に遮光材を配置したことを特徴とする。
これにより、第一の人体検知手段あるいは着座検知手段あるいは第二の人体検知手段の検知領域を狭めることで、検知領域と便ふたおよび便座の干渉を回避することが出来る。
【００２２】
請求項１７記載の発明における便座装置は、前記検知手段構造体であって前記第一の人体検知手段の上部にかさを設け、前記かさで前記第一の人体検知手段および前記着座検知手段および前記第二の人体検知手段を覆い、且つ前記かさの最下位置を前記第一の人体検知手段および前記着座検知手段および前記第二の人体検知手段よりも突出させたことを特徴とする。
これにより、例えば便座装置を掃除した際に検知窓の上方から水が入り込んだ場合や便座装置内部の結露水が検知手段の上方より落ちてきても、検知手段の被水を防ぐことが出来、検知手段の故障を防ぐことが出来る。
【００２３】
請求項１８記載の発明における便座装置は、第一の人体検知手段と前記着座検知手段と前記第二の人体検知手段を前記取り付け部材にスナップフィットで取り付けることを特徴とする。
これにより、検知窓と検知手段を別段の締結部材を用いずに簡単に締結出来る為、締結部材の部品点数も省け、コストを低減出来る。
【００２４】
請求項１９記載の発明における便座装置は、前記第一の人体検知手段と前記着座検知手段と前記第二の人体検知手段を前記取り付け部材にスナップフィットで取り付ける際の嵌合部となるスナップフィット爪部を、前記第一の人体検知手段と前記着座検知手段と前記第二の人体検知手段それぞれの側面に最低二ヶ所設け、且つ前記スナップフィット爪部の形状を異ならせたことを特徴とする。
これにより、中心より略対称の形状をした検知手段を取り付け部材に取り付ける際の誤組立を防止することが出来る。
【００２５】
請求項２０記載の発明における便座装置は、前記第一の人体検知手段と前記着座検知手段と前記第二の人体検知手段を、水平角を同一にし、仰角を任意の角度に配置したことを特徴とする。
これにより、取り付け部材を成形する際に、検知手段の前方と後方に型が抜ける構造とすることが出来る。その上で、スライドにより各取り付け部材のスナップフィット爪嵌合穴を形成することにより、各検知手段の目的に応じた照射方向に対して自由に検知手段を配置することが出来る。
【００２６】
【発明の実施の形態】
以下に本発明の具体的な実施例を、図１乃至図１５に基づいて詳細に説明する。
【００２７】
図１に示すようなローシルエットであって左右に袖の無いデザインの便座装置１において、便ふた２および便座３の各開閉状態における各センサの投光状態について説明する。
まず、図２のように便ふた２および便座３が閉じた状態においては、第一の人体検知センサ４の赤外線４−ａが閉じている便ふた２の上部を通過して便座装置１の前方上方に投光しており、人体の用便を待機する。人体が用便を足そうとして便座装置１にある一定の距離以内に近づき第一の人体検知センサ４の検知範囲内に入り込むと、第一の人体検知センサ４が人体を検知して、便ふた２を自動で開く。次に、図３のように便ふた２が開状態、便座３が閉状態においては、便ふた２の下部と便座３の上部の間から第一の人体検知センサ４の赤外線４−ａおよび着座センサ５の赤外線５−ａを投光して、人体の着座の有無を検知する。人体の着座を検知すると同時または後に便座装置１の制御を可能とする。次に、第一の場合として、人体が便座装置１に着座した場合には、着座センサ５が人体を検知する。人体が用便を終えて離座することで、まず着座センサ５が非検知となり、さらに人体が便座装置１から離れることで第一の人体検知センサ４も非検知となるので、その後に便ふた２を自動で閉める。また、第二の場合として、人体が立小便をする場合には、図４のように便座３も開かれることになるので、便ふた２および便座３の下部を通過して便座装置１の前方上方に第二の人体検知センサ６の赤外線６−ａを投光して便座装置１前の人体を検知する。人体の小用が終わり人体が便座装置１から離れて第二の人体検知センサ６が非検知となった後に便ふた２および便座３を自動で閉じる。
【００２８】
次に、第一の人体検知センサ４、着座センサ５、第二の人体検知センサ６およびセンサ窓７で構成するセンサ組品８に関して、各センサの配置およびセンサ窓７の形状について説明する。
センサ組品８は図１の便座装置１におけるところのケーシング前面９に配置している。センサ組品８中心の断面図を図５に示す。各センサは、上段に第一の人体検知センサ４、中段に着座センサ５、下段に第二の人体検知センサ６を三段重ねにして配置し、センサ窓７とはスナップフィット固定による一体で構成している。
便ふた２および便座３が閉状態では、図２のように第一の人体検知センサ４の赤外線４−ａを閉じている便ふた２の上部を通過して便座装置１の前方上方に投光する。また、便ふた２が開状態、便座３が閉状態では、図３のように便ふた２と便座３の間から第一の人体検知センサ４の赤外線４−ａおよび着座センサ５の赤外線５−ａを投光する。さらに、便ふた２および便座３が開状態では図４のように便ふた２および便座３の下部を通過して便座装置１の前方上方に第二の人体検知センサ６の赤外線６−ａを投光する。
【００２９】
次に、センサの構成について、図６を用いて説明する。センサは図６のように反射型の光電測距センサを用いており、発光素子１０、ＰＳＤ素子１１、回路基板１２及びそれらを覆う外郭ケース１３で構成され、発光素子１０及びＰＳＤ素子１１の前面にはそれぞれ投光レンズ１０−ａ、受光レンズ１１−ａが配置されている。またセンサはセンサ窓７から奥まって配置しており、その空間には発光素子１０からの光が直接ＰＳＤ素子１１に入らないように遮光板１４が設けられている。発光素子１０より投光された赤外線が検知対象物で反射した光をＰＳＤ素子１１が検知し、センサと検知対象物の距離を測定する。
【００３０】
このようにして、トイレを使用する意思のある人物に対して、各センサの検知信号に連動して便ふた２および便座３が自動で開閉することにより、例えば工事現場等で手を汚した人物がトイレを使用する、あるいは便ふた２に小水の飛び散り等の汚れが付着している等の際にも、手を汚すことなく用を足すことが出来て衛生的である。また、身体の不自由な人物に対しても、便ふた２を持ち上げるという動作を自動で行うことにより、腰など身体への負担をなくすことが出来る。
【００３１】
さて、本実施例の便座装置１においては、上段に第一の人体検知センサ４、中段に着座センサ５、下段に第二の人体検知センサ６を三段重ねに配置しており、便ふた２および便座３の各開閉状態に対して目的に適う投光を行うことが出来る。また、センサ窓７と各センサを一体とすることで、各センサとセンサ窓７のガタツキが小さく、各センサから投光される赤外線の方向のバラツキを低減出来て性能を確保することが出来る。さらに、三つのセンサを一つのセンサ窓７に一体として取り付けることで、各センサ毎につきセンサ窓を必要とせず、省スペース化を図ることが出来る。また、部品点数も少なくて済むので、製作のコストを低減することが出来る。
【００３２】
ここで、本実施例では、便ふた２を備えた便座装置１としているが、例えば背もたれ等の福祉設備設置に伴い便ふた２を便座装置１から取り外した状態でも、上記効果を得ることが出来る。
【００３３】
また、本実施例ではセンサ組品８を便座装置１のケーシング前面９に配置しており、これは例えば本実施例のような袖なしデザインやローシルエットデザインを有する便座装置に対して、上記効果を得ることが出来る。
【００３４】
ここで、センサ組品８の上段に配置した第一の人体検知センサ４を、図２（ｂ）のように閉状態にある便ふた２の後端縁２−ａよりも下に配置しており、これは例えば本実施例のようなローシルエットデザインを有する便座装置に対して、上記効果を得ることが出来る。
【００３５】
また、第一の人体検知センサ４を、便ふた２および便座３の回動中心１５よりも後部に配置している。図７（ａ）のように、第一の人体検知センサ４を、便ふた２および便座３の回動中心１５よりも後部に配置した場合には、赤外線４−ａを便ふた後端縁２−ａの上方に通すことが出来る。一方で、図７（ｂ）のように、第一の人体検知センサ４を、便ふた２および便座３の回動中心１５よりも前部に配置した場合には、便座装置１の前側上方を照射しようとすると便ふた後端部２−ａが回避出来ず、赤外線４−ａを通すために便ふた２の後端部に切り欠き１６を入れる等の工夫が必要であり、この場合、外観上不恰好となってしまう。その為、第一の人体検知センサ４を、便ふた２および便座３の回動中心１５よりも後部に配置するとよい。
【００３６】
しかし、上記配置としても、便ふた２と便座３が所要の位置にある場合にデザイン収納上各センサの検知領域の一部が便ふた２乃至便座３に干渉してしまう場合がある。例えば便ふた２が開状態で便座３が閉状態にある場合にデザイン収納上着座センサ５の検知領域の一部が便ふたの後端縁２−ａ乃至便座の後端縁３−ａに干渉してしまう場合を考える。その時には図８のように着座センサ５の検知領域の一部に干渉するようにセンサ窓７の一部に遮光部材７−ａを配置してもよい。これにより、検知領域が便ふたの後端縁２−ａ乃至便座の後端縁３−ａと干渉しないよう、センサ窓７の一部に遮光部材７−ａを配置して着座センサ５の検知領域を狭めることで、検知領域と便ふたの後端縁２−ａ乃至便座の後端縁３−ａとの干渉を回避することが出来る。これは一例であるが、便ふた２と便座３がその他の所要の位置にある場合にも同様に適用出来る。
【００３７】
第一の人体検知センサ４、着座センサ５や第二の人体検知センサ６としては人体の距離を検知することの可能な反射型の光電測距センサがよい。例えば光電光量式センサや焦電センサでは、便座装置１本体と人体の距離が不安定であり、例えばトイレ清掃時やタオル、トイレットペーパーの交換等、用足し以外の目的でトイレに入室した際にも便ふた２および便座３が不本意にも自動で開いてしまう等の不都合が考えられる。一方で、センサとして光電測距式のセンサを用いることで、便座装置１本体と人体の距離をセンサで把握し、用足しに必要であると設定した便座装置１と人体との距離以内である場合のみ、入室者のトイレ使用の意思あるいは着座の意思があると判断して便ふた２および便座３を自動で開閉することが出来る。
【００３８】
ここで、第一の人体検知センサ４と第二の人体検知センサ６は同種のものであるほうが望ましい。これにより、同金型、同生産ラインにて製作した人体検知センサを第一の人体検知センサ４および第二の人体検知センサ６に適用出来る為、金型や生産ラインも一つで済み、コストを低減することが出来る。
【００３９】
ここで、センサ窓７の表面はケーシング前面９よりも便座装置１本体内部に凹ませている。例えば図９（ａ）のように、便ふた後端縁２−ａと、センサ窓７を含むケーシング前面９に、一定のクリアランスを設けた設計において、便ふた２の自重により便ふた２の回動中心１５が経年とともに降下した場合等において、図９（ｂ）のように便ふた後端縁２−ａとケーシング前面９のクリアランスが無くなってしまい、両者が接触してしまうことが考えられる。このような場合、図９（ｃ）のようにセンサ窓７がケーシング前面９と面一である若しくはセンサ窓７がケーシング前面９よりも突出しているとなると、便ふた後端縁２−ａがセンサ窓７と接触してしまい、センサ窓７に傷が付くことで、各センサの性能を大きく損なうことになる。そこで、センサ窓７を図９（ｄ）のようにケーシング前面９よりも奥めて配置しておけば、便ふた後端縁２−ａが接触するのはケーシング前面９となり、センサ窓７との接触を避けることが出来、センサ窓７に傷が付かない為、各センサの性能を損なうことなく確実に人体あるいは着座を検知することが出来る。
【００４０】
また、センサ窓７の着座センサ５前部に図５のように便座装置１本体のケーシング前面９よりも凹ませた凹部１７を設けている。光電測距センサは検知距離において上限と下限を持つ為、検知対象物の色や材質によっては、センサ窓７と検知対象物の距離が検知可能距離下限以下である場合には検知対象物を検知することが出来ない場合がある。この為、本実施例のようにセンサ組品８をケーシング前面９に配置した状況において人体が便座装置１に着座した場合には、人体が着用している衣類等が便座装置１本体のケーシング前面９に被ってしまい、センサ窓７と検知対象物である衣類が密着することで、衣類を検知出来ない場合がある。しかし本実施例のようにセンサ窓７の着座センサ５前部を便座装置１本体のケーシング前面９よりも凹ますことによってセンサ窓７と衣類の密着を防ぐことにより、センサ窓７と衣類の距離を検知可能距離下限以上に確保することが出来、人体の着座を確実に検知して誤動作を防止することが出来る。この場合、センサ窓７を凹ませている為、凹部１７に衣類が侵入してしまうことも考えられるので、センサ窓７の凹ます距離は衣類の浸入想定距離も考慮して設定することが望ましい。また、センサ窓７の着座センサ５前部を凹ますことにより、便座装置１の外観が損なわれることが考えられる。その為本実施例では、図１０のように凹部１７の上端１７−ａを、閉状態にある便ふた２の後端縁２−ａよりも下に配置している。これにより、少なくとも便ふた２および便座３が閉状態にある場合に人体がトイレに入室しても、凹部１７が便ふた２に隠れる為、外観上の不恰好さを防ぐことが出来る。
【００４１】
また、センサ窓７は可視光遮断材であり、投光レンズ１０−ａとセンサ窓７までの投光空間１０−ｂと、受光レンズ１１−ａとセンサ窓７までの受光空間１１−ｂとを隔てる遮光板１４、および取り付け部材１８は遮光材を用いた二色成形であるとしている。図１１のように、センサ窓７を可視光遮断材とし、遮光板１４および取り付け部材１８を遮光材とした二色成形とすることにより、投光空間１０−ｂ、受光空間１１−ｂおよび外部での赤外線の行き来が無くなる為、誤検知を防ぐことが出来る。
【００４２】
さらに遮光板１４はセンサ窓７の内部にまで貫通させている。遮光板１４がセンサ窓７を貫通していない場合、図１２（ａ）のように投光された赤外線がセンサ窓７に付着した水滴やごみによってセンサ窓７内で乱反射して受光空間１１−ｂに到達してしまい、誤検知して誤動作を招く恐れがある。しかし図１２（ｂ）のように遮光板１４をセンサ窓７に貫通させることで、投光された赤外線がセンサ窓７内で乱反射して受光空間１１−ｂに到達することを防ぐことが出来るので、誤検知を防ぐことが出来る。
【００４３】
なお、取り付け部材１８において上段に配置した第一の人体検知センサ４の上部に図１３のようにかさ１９を設け、かさ最下位置１９−ａの真下には第一の人体検知センサ４、着座センサ５および第二の人体検知センサ６を配置しないように配置している。これにより、例えば便座装置１本体内部の結露水や小水の飛び散りが便座本体１内部に侵入した場合等にセンサ組品８上部から液体が滴った場合でも、液体がかさ１９に滴下してかさ最下位置１９−ａまで伝い、かさ最下位置１９−ａより真下に滴下するので、液体が各センサに被水することがなく、各センサの故障を防ぐことが出来る。
【００４４】
ここで、本実施例では図１４（ｂ）のようにセンサ窓７と一体で成形したセンサ取り付け部材１８に図１４（ａ）のような各センサをスナップフィットで取り付ける構造としている。これにより、別途締結部材を用いずにセンサ窓７と各センサを簡単に一体化することが出来る。その為、各センサとセンサ窓７のガタツキが小さく、各センサから投光される赤外線の方向のバラツキを低減出来て性能を確保することを可能にする。また、三つのセンサを一つの取り付け部材１８およびセンサ窓７に一体として取り付けることで、各センサ毎につき取り付け部材およびセンサ窓を必要とせず、省スペース化を図ることを可能にする。また、部品点数も少なくて済むので、製作のコストを低減することを可能にする。また、スナップフィット爪２０およびスナップフィット穴２１は各センサの側面左右および取り付け部材１８の左右側面に設けているが、この時、左右のスナップフィット爪２０およびスナップフィット穴２１の形状は図１４のように異ならせることが望ましい。これにより、センサ組品８の組立時にセンサの上下を逆にして取り付けてしまう等の誤組立を防止することが出来、性能を確保することが出来る。あるいは各センサの裏面に刻印を配置し、検査工程の中で刻印の向きを確認することによって誤組立を防止してもよい。
【００４５】
また、本実施例では各センサにおけるところの便座装置１の前後方向からの左右への角度を示す水平角は同一としている。これにより、図１５（ａ）のようにセンサ取り付け部材１８を水平角方向に揃えることが出来、金型構成上、センサ窓７とセンサ取り付け部材１８の一体成形をセンサ取り付け部材１８と同一の方向に簡単に型抜きを行うことが出来る。その際各センサにおけるところの便座装置１の前後方向からの上方への角度を示す仰角については、センサ取り付け部材１８に対して垂直方向へのスライドにて図１５（ｂ）のように各センサの仰角に対応したスナップフィット穴２１を型抜きし、また、各センサの前面で位置決めする為の位置決めリブ２２を図１４（ｂ）のようにセンサ窓７裏側に設けることで、各センサの仰角を照射目的に応じて自由に設定することが出来る。
【００４６】
さらに、本実施例では各センサの検知に対して、便ふた２および便座３を自動で開閉することを念頭に置いているが、その他にも便座装置１本体の人体を検知することにより、トイレ環境を制御してもよい。これにより、トイレ入室時に便座装置に近づくだけで、例えば換気、脱臭、節電解除、照明点灯、暖房、冷房、音響等の便利な、快適な機能を作動させることが出来る。
【００４７】
さらに、また、便座装置１の制御は着座センサ５が人体の着座を検知した後に制御可能とすることが望ましい。例えばトイレ掃除の際に暖房便座の設定温度や衛生洗浄便座の吐水ボタンなどを間違えて押してしまっても、着座検知による用便の意思が無い限り便座装置１を作動させないことで誤操作を防ぐことが出来、安全性を保つことが出来る。
【図面の簡単な説明】
【図１】本発明の便座装置の外観図である。
【図２】本発明の便座装置における便ふたおよび便座が閉状態であるときの投光の様子を示す外観図（ａ）と、その時のセンサ断面図（ｂ）である。
【図３】本発明の便座装置における便ふたが開状態であり便座が閉状態であるときの投光の様子を示す外観図（ａ）と、その時のセンサ断面図（ｂ）である。
【図４】本発明の便座装置における便ふたおよび便座が開状態であるときの投光の様子を示す外観図（ａ）と、その時のセンサ断面図（ｂ）である。
【図５】本発明の便座装置のセンサ組品の断面図である。
【図６】光量測距センサの構成を示す図である。
【図７】本発明の便座装置の前後に関するセンサ配置を説明する図である。
【図８】本発明のセンサ組品において、センサ窓に遮光部材を配置した時の検知領域と遮光部材によって遮光される領域を示した模式図の断面図である。
【図９】本発明のセンサ窓およびケーシング前面と便ふた後端の接触を示す断面図である。
【図１０】本発明の便座装置のセンサ組品とその近傍の断面図である。
【図１１】本発明の便座装置のセンサ窓と取り付け部材および遮光板の二色成形の各部を色分けした図である。
【図１２】本発明の便座装置のセンサ組品の遮光板とセンサ窓の配置を示した図である。
【図１３】本発明のセンサ組品の側面図である。
【図１４】センサの正面図（ａ）と本発明のセンサ組品の後斜視図（ｂ）である。
【図１５】本発明のセンサ組品を上から見た図（ａ）および左側面から見た図（ｂ）である。
【図１６】従来の便座装置のセンサ配置箇所を示す図である。
【符号の説明】
１：　便座装置
２：　便ふた
３：　便座
４：　第一の人体検知センサ
５：　着座センサ
６：　第二の人体検知センサ
７：　センサ窓
８：　センサ組品
９：　ケーシング前面
１０：　発光素子
１１：　ＰＳＤ素子
１２：　回路基板
１３：　外郭ケース
１４：　遮光板
１５：　回動中心
１６：　切り欠き
１７：　凹部
１８：　取り付け部材
１９：　かさ
２０：　スナップフィット爪
２１：　スナップフィット穴
２２：　位置決めリブ
【図１】
2004089631.tif 000003
【図２】
2004089631.tif 000004
【図３】
2004089631.tif 000005
【図４】
2004089631.tif 000006
【図５】
2004089631.tif 000007
【図６】
2004089631.tif 000008
【図７】
2004089631.tif 000009
【図８】
2004089631.tif 000010
【図９】
2004089631.tif 000011
【図１０】
2004089631.tif 000012
【図１１】
2004089631.tif 000013
【図１２】
2004089631.tif 000014
【図１３】
2004089631.tif 000015
【図１４】
2004089631.tif 000016
【図１５】
2004089631.tif 000017
【図１６】
2004089631.tif 000018